(57)【要約】【課題】  使用性及び取扱性に優れ、かつ多種の材料に適用可能なゆかた帯を提供する。【解決手段】  ゆかた帯１の胴部を構成する帯体２と、帯体２の基端側に設けられた羽根部３と、羽根部３の裏面において形成され、帯体２の先端２ａ側を挿通ガイドするガイド結合部４と、ガイド結合部４に連結された長さ調整可能なベルト５と、帯体２の先端２ａ側に設けられたフック６とを備えたゆかた帯であって、帯体２の先端２ａをガイド結合部４に挿通させ、環状を呈した後、フック６の上部開放側からベルト５を引っ掛けて、胴部における寸法調整を行って装着する。【選択図】図１
0003120589.tif 000002
【実用新案登録請求の範囲】
【請求項１】
装身具の２つの部位を係止するための装身具の係止構造であって、一方の部位は開放側を持つ鉤型を呈するフックを有し、前記フックの開放側から他方の部位を係止するようにしたことを特徴とする装身具の係止構造。
【請求項２】
ゆかた帯の胴部を構成する帯体と、
前記帯体の一端側に設けられた羽根部と、
前記羽根部の裏面において形成され、前記帯体の他端側を挿通ガイドするガイド結合部と、
前記ガイド結合部に連結された長さ調整可能なベルト部材と、
前記帯体の他端側に設けられたフックとを備えたゆかた帯であって、
前記帯体と前記ベルト部材の間に請求項１に記載の装身具の係止構造を有し、前記フックの上部開放側から前記ベルト部材を係止するようにしたことを特徴とするゆかた帯。
【請求項３】
前記帯体がメッシュ状素材により形成されることを特徴とする請求項２に記載のゆかた帯。
【請求項４】
前記ベルト部材は拡縮調整可能な環状部を有することを特徴とする請求項２又は３に記載のゆかた帯。
【請求項５】
腹部を覆う前腹部と、
前記前腹部の上方側から左右対称に延出した肩紐基部と、
前記肩紐基部それぞれに取り付けられた肩紐と、
前記前腹部の下方側から左右対称に延出した腰紐基部と、
前記腰紐基部裏面に設けられたフックとを備えた腹掛けであって、
前記腰紐基部と前記肩紐の間に請求項１に記載の装身具の係止構造を有し、前記フックの下部開放側から前記肩紐を係止するようにしたことを特徴とする腹掛け。
【考案の詳細な説明】
【技術分野】
【０００１】
本考案は、装身具の２つの部位を係止するのに用いて好適な装身具の係止構造、これを用いたゆかた帯及び腹掛けに関する。
【背景技術】
【０００２】
ゆかたや着物を着る際に、帯結びをするのに手間がかかるため、最近では、例えば「ワンタッチ帯」と称するゆかた帯等が使用されている。このようなゆかた帯は、容易に帯結びすることができる。
【０００３】
また、この種の簡易に帯結びが可能なゆかた帯が特許文献１に開示されている。
【０００４】
【特許文献１】特開２００５−３３８１９５号公報
【考案の開示】
【考案が解決しようとする課題】
【０００５】
ワンタッチ帯のようなゆかた帯は裏地を有しており、さらに内部に芯材が挿入されており風通しが悪いという問題があった。また、帯体を折り返して使用するため、折り目がついて使用性が悪くなるといった問題があった。また、特許文献１のゆかた帯においても、ガイド金具に帯体を挿通させた際に、金具の跡が残ることがあった。
【０００６】
また、この種のゆかた帯は、胴部に巻いた際の結合手段として、所謂マジックテープ（登録商標）のようなものを用いている。その場合、帯体をコーデュロイ、ニット、毛糸、レース生地等で形成させると、毛玉が結合手段に付着して、しっかりと結合できなくなるといった問題又は結合手段が帯と擦れあって帯の表面に傷がつくといった問題があり、帯体の材料が制限されてしまうことがあった。
【０００７】
本考案は係る実情に鑑みて、使用性及び取扱性に優れ、かつ多種の材料に適用可能なゆかた帯等の装身具を提供するための装身具の係止構造、これを用いたゆかた帯及び腹掛けを提供することを目的とする。
【課題を解決するための手段】
【０００８】
本考案の装身具の係止構造は、装身具の２つの部位を係止するための装身具の係止構造であって、一方の部位は開放側を持つ鉤型を呈するフックを有し、前記フックの開放側から他方の部位を係止するようにしたことを特徴とする。
また、本考案のゆかた帯は、ゆかた帯の胴部を構成する帯体と、前記帯体の一端側に設けられた羽根部と、前記羽根部の裏面において形成され、前記帯体の他端側を挿通ガイドするガイド結合部と、前記ガイド結合部に連結された長さ調整可能なベルト部材と、前記帯体の他端側に設けられたフックとを備えたゆかた帯であって、前記帯体と前記ベルト部材の間に上記に記載の装身具の係止構造を有し、前記フックの上部開放側から前記ベルト部材を係止するようにしたことを特徴とする。
また、前記帯体がメッシュ状素材により形成されることを特徴とする。
また、前記ベルト部材は拡縮調整可能な環状部を有することを特徴とする。
また、本考案の腹掛けは、腹部を覆う前腹部と、前記前腹部の上方側から左右対称に延出した肩紐基部と、前記肩紐基部それぞれに取り付けられた肩紐と、前記前腹部の下方側から左右対称に延出した腰紐基部と、前記腰紐基部裏面に設けられたフックとを備えた腹掛けであって、前記腰紐基部と前記肩紐の間に上記に記載の装身具の係止構造を有し、前記フックの下部開放側から前記肩紐を係止するようにしたことを特徴とする。
【考案の効果】
【０００９】
本考案のゆかた帯によれば、メッシュ状素材により形成されるため、通気性がよく、良好な清涼感を得られる。
また、ゆかた帯の胴部を構成する帯体の裏面に配置されたフックにベルトを引っ掛けて、ベルトを調整するといった簡単な操作でゆかた帯を装着できるため使用性、取扱性に優れる。その際、帯体を折り曲げる必要もなく、ゆかた帯の外観を損なうこともない。さらには、結合手段に所謂マジックテープ（登録商標）のようなものを用いていないため、毛玉が付着してしっかりと固定できないといった問題又は帯体と結合手段が擦れあって帯体に傷がつくといった問題も解消でき、ゆかた帯の材料の自由度が拡がり、コーデュロイ、ニット、毛糸、レース生地等を用いることができる。
【考案を実施するための最良の形態】
【００１０】
以下、図面を参照して、本考案の装身具の係止構造を用いた装身具の一例であるゆかた帯の好適な実施の形態について説明する。図１は、本実施の形態に係るゆかた帯１を示している。ゆかた帯１は、ゆかたを着た人のウェスト部に巻かれて締められる胴部を構成する帯体２と、帯体２の基端側に設けられた羽根部３とで、その外観をなす。羽根部３は羽根又は花等を模して形成され、本実施の形態においては帯体２を折ることで一体的に形成されている。なお、羽根部３は別体として取り付けても構わず、またその形状も本実施の形態の形状に限定されることはない。
【００１１】
また、これら帯体２及び羽根部３は合成樹脂製のメッシュ状素材（典型的にはナイロン等）を用い、その素材を適宜裁断、縫合することで所定形態となるように形成される。なお、メッシュの大きさ（粗さ）等は通気性を確保した上、必要強度を得るように設定される。その際、必要に応じて補強材として芯材を内挿する。この芯材もまたメッシュ状素材で構成されたものを用いる。
【００１２】
また、羽根部３は、その裏面（体側）において結合ガイド部４を有する。本実施の形態においては帯体２を折って、羽根部３の形を形成すると共に、帯体２の裏面において、長手方向にスリット状に開口するように（矢印ａ）して、結合ガイド部４が設けられる。ゆかた帯１は、帯体２の羽根部３が設けられない先端２ａ側を結合ガイド部４に挿通させることで環状を呈するようにして装着する。
【００１３】
また、結合ガイド部４には布製の布帯体５ａとアジャスタ金具５ｂとで、長さ調整可能に構成されるベルト５が設けられる。ベルト５は、その基端を結合ガイド部４に縫い付ける等して連結されている。また、その構成は、典型的には矩形外枠の中央に配した仕切りにより二分された窓状に形成されたアジャスタ金具５ｂに、布帯体５ａの先端をアジャスタ金具５ｂの一方の窓から挿入後、仕切りを跨いで他方の窓から適度な長さだけ引き出し、その先端をアジャスタ金具５ｂの外枠の一部に固定させて環状をなすように構成される。このような構成とすることで、アジャスタ金具５ｂを布帯体５ａに沿ってスライドさせるようにすることで、環状部の大きさを拡縮調整することができ、ベルト５が長さ調整可能となる。
【００１４】
また、帯体１は、結合ガイド部４を挿通する先端２ａ側において、フック６を有する。フック６は、その基部を帯体２の内部に入り込ませて縫い付ける等して固定する。また、フック６の露出部分は略鉤型を呈し、かつ上部が開放するように取り付けられる。またフック６の先端は鉤型状部位から、やや基部側に折曲しており、後述のベルト５を引っ掛けた際に、ベルト５が外れにくくなるような工夫がしてある。
【００１５】
さて、ここで、ゆかた帯１の装着の様子を図２を用いて説明する。図２（ａ）は、環状を呈する前のゆかた帯１を示す図である。本状態からゆかた帯１が環状を呈するように帯体２の先端２ａを結合ガイド部４に挿通させる。
【００１６】
図２（ｂ）は、環状を呈したゆかた帯１を示す図であり、矢印方向に帯体２の先端を引き寄せることで、装着する人の胴部に合わせ、予め大まかに寸法調整をして、適度な位置で仮保持する。
【００１７】
その後、ベルト５の環状を形成した部位をフック６の上部開放側から引っ掛ける（図３（ａ））。そして、図３（ｂ）に示す矢印方向にアジャスタ金具５ｂを移動させることでベルト５の全体としての長さを調整して、最適な締め具合でゆかた帯１を装着することができ、簡易な帯結びが可能となる。
【００１８】
以上のように構成されたゆかた帯１は、メッシュ状素材により形成されるため、通気性がよく、良好な清涼感を得られる。また、帯体２の裏面に配置されたフック６にベルト５を引っ掛けて、ベルト５を調整するといった簡単な操作でゆかた帯１を装着できるため使用性、取扱性に優れる。その際、帯体２を折り曲げる必要もなく、ゆかた帯の外観を損なうこともない。さらには、結合手段に所謂マジックテープ（登録商標）のようなものを用いていないため、毛玉が付着してしっかりと固定できないといった問題又は帯体と前記結合手段が擦れあって傷がつくといった問題も解消でき、ゆかた帯の材料の自由度が拡がり、コーデュロイ、ニット、毛糸、レース生地等を用いることができる。
【００１９】
また、本実施の形態においてベルト５の構成は上述したものに限定されず、また、例えばゴムやポリウレタン繊維等の伸縮材料を用いて長さ調整可能なように構成することもできる。その場合は、伸縮材料の端部に環状部を形成させて、伸長したベルト５の前記環状部をフック６に引っ掛けて張着させることで好適に実施が可能である。
【００２０】
ここで、本考案の装身具の係止構造を用いた装身具の別の例である腹掛けの好適な実施の形態を図４に示す。図４は、祭り等で装着される腹掛けとよばれる装身具である。本例における腹掛け１０は、その前腹部１１が上半身の特に腹部のみを覆うような外観意匠となるように裁断、縫合されている。
【００２１】
また、前腹部１１は、その上方側に左右対称に延出した肩紐基部１２と、下方側に左右対称に延出した腰紐基部１３を有する。さらに、肩紐基部１２それぞれからは肩紐１４が縫い付られる等して取り付けられる。
【００２２】
また、腰紐基部１３はそれぞれの裏面において、フック６が取り付けられている。図５に腰紐基部１３の裏面の様子を示す。図５に示すようにフック６が下方に開放するように、縫いつける等して固定されている。
【００２３】
以上のように構成した腹掛け１０は肩紐１４を肩にかけ、使用者の背面において、タスキ掛けとなるように、即ちＸ字をなすように肩から巻回して、それぞれフック６に引っ掛けて、背面で相互に結びつけて装着する。
【００２４】
ところで、一般的な腹掛けは、肩紐が本例の腹掛け１０における肩紐基部１２と腰紐基部１３とに相当する部位とをつなぐように連結しており、背面でＸ字をなして一体的に形成されている。また、装着の仕方は、頭から被るようにして装着する。そのため、サイズがある程度規格化されており、調整機能を有するものではなかった。本例の腹掛け１０は、肩紐１４を開放端とし、フック６を用いて、結びつけるようにして装着するため、寸法調整することができ、体の寸法の影響を受けない。また、前腹部１１の装着位置を上下に調整することができ、使用者は任意の位置において腹掛け１０を装着することができる。
【００２５】
また、本例の腹掛け１０は、主に腹部を覆うような外観意匠を有しているが、腹部から太腿付近まで覆うような一般的な腹掛けにフック６を適用しても構わない。
【図面の簡単な説明】
【００２６】
【図１】本考案の実施の形態に係るゆかた帯を示す図である。
【図２】本考案の実施の形態に係るゆかた帯の装着方法を説明するための図である。
【図３】本考案の実施の形態に係るゆかた帯の装着方法を説明するための図である。
【図４】本考案の実施の形態に係る腹掛けを示す図である。
【図５】本考案の実施の形態に係る腹掛けの要部を説明するための図である。
【符号の説明】
【００２７】
１    ゆかた帯
２    帯体
２ａ  先端
３    羽根部
４    結合ガイド部
５    ベルト
５ａ    布帯体
５ｂ    アジャスタ金具
６    フック
１０  腹掛け
１１  前腹部
１２  肩紐基部
１３  腰紐基部
１４  肩紐
【図１】
0003120589.tif 000003
【図２】
0003120589.tif 000004
【図３】
0003120589.tif 000005
【図４】
0003120589.tif 000006
【図５】
0003120589.tif 000007